(57)【要約】
【課題】　周辺設備の取り付けや交換に便利なコンピュータの提供。
【解決手段】　コンピュータケースの上面にハンドル装置が設けられ、該上面が引き起こせる構造とされ、該上面の引き起し可能な設計により、コンピュータに周辺設備、例えばハードディスク、ＣＤドライブ或いはインタフェースカードを取り付けたり交換する時、上面を引き起こして行なうことができ便利である。また上面の内側面にディスプレイの設備が設けられ、全体のコンピュータ装置を搬送するのに便利である。
【選択図】　　　　図１
0003100165.tif 000002
【実用新案登録請求の範囲】
【請求項１】
　デスクトップ型コンピュータとされるコンピュータであり、
　上面が開口とされ、内部にマザーボード、電源供給装置及びインタフェースナード等の必要設備を収容するケースと、
　該ケースの正面に設けられ、押しボタン、指示ランプ及びソケットが設置されたパネルと、
　該ケースの開口状の上面を完全に被覆し、後側端がヒンジ装置でケースに連接され、連接部分を回転中心として引き起こされることで、ケースの開口状の上面を露出させられる上面板と、
　を具えたコンピュータ。
【請求項２】
　請求項１記載のコンピュータにおいて、上面板の外側面にハンドル装置が設けられたことを特徴とする、コンピュータ。
【請求項３】
　請求項１又は請求項２記載のコンピュータにおいて、上面板の内側面に薄型ディスプレイが取り付けられたことを特徴とする、コンピュータ。
【請求項４】
　請求項３記載のコンピュータにおいて、ケースの上内縁に上シャーシが設けられ、その後端に一対の固定ピンで軸棒が固定され、上面板の後端に穿孔が設けられ、該軸棒の中段が上面板後端の穿孔に係止されてヒンジ装置が形成されたことを特徴とする、コンピュータ。
【考案の詳細な説明】
【技術分野】
【０００１】
　本考案は一種のコンピュータに係り、特にコンピュータケースの上面を引き起こせる新規な構造を有し、特にベアボーン（ｂａｒｅｂｏｎｅ）コンピュータに適合するコンピュータに関する。
【背景技術】
【０００２】
　コンピュータテクノロジーの進歩はめざましく、マザーボード上のプロセッサ、或いは周辺設備のハードディスク容量或いはＣＤドライブの読み取り速度はいずれも急速に進歩している。異なるインタフェースカード接続のための拡充設備も多様である。ゆえに、現在ＰＣ内部の部品の交換は珍しくない。
【０００３】
　現在、デスクトップ型コンピュータに関しては、その主要な使用形式はコンピュータと、接続されたマウス、キーボード、ディスプレイ、及びプリンタ等を具えるものとされる。コンピュータケースは基本的に直方体の設計とされ、その内部にマザーボードと必要な部品が取り付けられ、正面はスイッチ、指示ランプ及びソケットを設置するパネルが設けられ、内部シャーシの外部にプレス加工されてＵ形を呈する保護カバーが設けられ、全体のマザーボードがコンピュータケース内に封じられ、並びにネジでＵ形の保護カバーがシャーシ外に固定されている。
【０００４】
　内部部品を交換する時は、面倒な動作が発生し、即ち、ネジを取り外してＵ形の保護カバーを内部シャーシより引き離なければ、交換が行なえず、交換後、保護カバーを閉じてネジで固定しなければならない。このような構造は不便であるため、改善が求められている。
【０００５】
　このほか、現在、デスクトップ型コンピュータは小型化の傾向にあり、全体のコンピュータの移動に便利とされており、例えばベアボーン（ｂａｒｅｂｏｎｅ）コンピュータは使用者がコンピュータを手に提げることができるため、ノートブック型コンピュータ以外の新たな選択の形式となっている。これにより、ディスプレイをケースに収容できるコンピュータがあれば、非常に便利である。
【考案の開示】
【考案が解決しようとする課題】
【０００６】
　上述の周知のデスクトップ型コンピュータの欠点を鑑み、本考案はそれを改良したコンピュータの設計を提供するものである。
【０００７】
　本考案はコンピュータケースの上面を引き起こせる構造とし、並びに上面にハンドルを設けて使用者が上面を引き起こすのに便利であり、また使用者が部品を取り付けたり交換するのに便利とすることを目的としている。
【０００８】
　本考案はまた、コンピュータケースの上面を引き起こせるようにし、該上面の内側面にディスプレイを取り付けて外接する必要を無くし、使用者の携帯に便利とすることを次の目的としている。
【課題を解決するための手段】
【０００９】
　請求項１の考案は、デスクトップ型コンピュータとされるコンピュータであり、
　上面が開口とされ、内部にマザーボード、電源供給装置及びインタフェースナード等の必要設備を収容するケースと、
　該ケースの正面に設けられ、押しボタン、指示ランプ及びソケットが設置されたパネルと、
　該ケースの開口状の上面を完全に被覆し、後側端がヒンジ装置でケースに連接され、連接部分を回転中心として引き起こされることで、ケースの開口状の上面を露出させられる上面板と、
　を具えたコンピュータとしている。
　請求項２の考案は、請求項１記載のコンピュータにおいて、上面板の外側面にハンドル装置が設けられたことを特徴とする、コンピュータとしている。
　請求項３の考案は、請求項１又は請求項２記載のコンピュータにおいて、上面板の内側面に薄型ディスプレイが取り付けられたことを特徴とする、コンピュータとしている。
　請求項４の考案は、請求項３記載のコンピュータにおいて、ケースの上内縁に上シャーシが設けられ、その後端に一対の固定ピンで軸棒が固定され、上面板の後端に穿孔が設けられ、該軸棒の中段が上面板後端の穿孔に係止されてヒンジ装置が形成されたことを特徴とする、コンピュータとしている。
【考案の効果】
【００１０】
　本考案はコンピュータケースの上面を引き起こせる構造とし、並びに上面にハンドルを設けて使用者が上面を引き起こすのに便利であり、また使用者が部品を取り付けたり交換するのに便利としている。
　本考案はまた、コンピュータケースの上面を引き起こせるようにし、該上面の内側面にディスプレイを取り付けて外接する必要を無くし、使用者の携帯に便利としている。
【考案を実施するための最良の形態】
【００１１】
　図１から図３に示されるように、本考案のコンピュータの内部シャーシには必要なマザーボードと不停電電源装置等（図示せず）が設けられ、上面が貫通するケース１０が内部設備を封じ、並びに正面にパネル２０が設けられ、該パネル２０は押しボタン、指示ランプ、及びソケットの取り付けに供される。
【００１２】
　該ケース１０の上内縁に上シャーシ１１が設けられ、その後端が一対の固定ピン１４で軸棒１５を固定している。上面板１２はケース１０の貫通する上面を閉じるのに用いられ、その後端に穿孔１６が設けられている。該軸棒１５の中段は上面板１２の後端の穿孔１６に係止され、これにより上面板１２が上面板１２を回転中心としてケース１０に対して引き起こし可能とされ、これによりケースの貫通する上面を露出させられる。これは図３中の矢印Ｇに示される動作である。
【００１３】
　上面板１２の引き起こし動作を簡単とするため、上面板１２の上面にハンドル装置１３が設けられ、該ハンドル装置１３は上面板１２との間に使用者の手指を通すための空間を保留し、片手での操作に便利とされ、使用者はハンドル装置１３を握持することで、簡単に上面板１２を引き起こすことができる。
【００１４】
　当然、上述の構造は本考案の一つの実施例に過ぎない。上面板１２は直接ヒンジ構造でケース１０の上内縁に取り付けることも可能である。即ち、軸棒１５が構成する連結構造も、ヒンジ構造の一つである。
【００１５】
　このほか、本考案は上面板１２の内側面にディスプレイ、例えば薄型の液晶ディスプレイを取り付け可能である。この時、ヒンジ構造に角度固定の構造を増設し、これにより上面板１２を引き起こしてある角度とした時に位置決めできるようにし、この構造は現在ノートブック型コンピュータに使用されているものが適用されうる。
【００１６】
　ディスプレイ取り付け後、全体のコンピュータの移動に便利で、並びに内部部品の交換が容易な長所を有する。
【００１７】
　総合すると、本考案の提供するコンピュータは、使用者がケースの上面板を引き起こせば内部部品の取り付け或いは交換が行なえて便利であり、その機能が高められている。ゆえに本考案は実用新案登録の新規性と進歩性の要件を具備している。
【図面の簡単な説明】
【００１８】
【図１】本考案の実施例の分解図である。
【図２】図１の組合せ後の斜視図である。
【図３】本考案の動作図である。
【符号の説明】
【００１９】
１０　ケース
１１　上シャーシ
１２　上面板
１３　ハンドル装置
１４　固定ピン
１５　軸棒
１６　穿孔
２０　パネル
【図１】
0003100165.tif 000003
【図２】
0003100165.tif 000004
【図３】
0003100165.tif 000005